(57)【要約】【課題】放送波を出力する構成において、異常が生じた場合に、異常の影響を効果的に抑えることができる。【解決手段】ケーブルテレビ装置は、ケーブルテレビの放送波を出力する複数の伝送モジュールと、前記複数の伝送モジュールと他の装置との間で通信を行うための通信経路と、前記複数の伝送モジュール間を接続する監視経路とを備え、前記複数の伝送モジュールは、１または複数の運用系モジュールと、１つの予備系モジュールとを含み、前記予備系モジュールは、前記監視経路を介して各前記運用系モジュールの状態を監視可能であり、前記予備系モジュールは、前記運用系モジュールの異常を検出した場合、異常を検出した前記運用系モジュールである異常モジュールの代わりに前記放送波の出力を行う代替処理を行う。【選択図】図２
2020014121.tif 000002
【特許請求の範囲】
【請求項１】
ケーブルテレビの放送波を出力する複数の伝送モジュールと、
前記複数の伝送モジュールと他の装置との間で通信を行うための通信経路と、
前記複数の伝送モジュール間を接続する監視経路とを備え、
前記複数の伝送モジュールは、１または複数の運用系モジュールと、１つの予備系モジュールとを含み、
前記予備系モジュールは、前記監視経路を介して各前記運用系モジュールの状態を監視可能であり、
前記予備系モジュールは、前記運用系モジュールの異常を検出した場合、異常を検出した前記運用系モジュールである異常モジュールの代わりに前記放送波の出力を行う代替処理を行う、ケーブルテレビ装置。
【請求項２】
前記予備系モジュールは、各前記運用系モジュールの設定情報を記憶する記憶部を含む、請求項１に記載のケーブルテレビ装置。
【請求項３】
前記ケーブルテレビ装置は、さらに、
各前記運用系モジュールから出力された前記放送波および前記予備系モジュールから出力された前記放送波を合波する合波部を備え、
前記複数の伝送モジュールの各々は、前記放送波を出力するか否かを切り替えるスイッチを含み、
前記予備系モジュールは、前記代替処理において、前記異常モジュールの前記スイッチをオフする、請求項１または請求項２に記載のケーブルテレビ装置。
【請求項４】
前記監視経路は、前記複数の伝送モジュールを相互に接続する複数の経路を含み、
前記複数の伝送モジュールの各々が、前記予備系モジュールとして使用可能である、請求項１から請求項３のいずれか１項に記載のケーブルテレビ装置。
【請求項５】
前記放送波は、衛星放送の放送波であり、
前記予備系モジュールは、前記代替処理を行っていない状態において、前記放送波を受信し、受信した前記放送波に含まれるＳＩ（Ｓｅｒｖｉｃｅ  Ｉｎｆｏｒｍａｔｉｏｎ）情報を取得して保持する、請求項１から請求項４のいずれか１項に記載のケーブルテレビ装置。
【請求項６】
ケーブルテレビの放送波を出力する複数の伝送モジュールと、前記複数の伝送モジュールと他の装置との間で通信を行うための通信経路と、前記複数の伝送モジュール間を接続する監視経路とを備えるケーブルテレビ装置における異常監視方法であって、
前記複数の伝送モジュールは、１または複数の運用系モジュールと、１つの予備系モジュールとを含み、
前記予備系モジュールが、前記監視経路を介して各前記運用系モジュールの状態を監視するステップと、
前記予備系モジュールが、１または複数の前記運用系モジュールの異常を検出するステップと、
前記予備系モジュールが、前記運用系モジュールの異常を検出した場合、異常を検出した前記運用系モジュールである異常モジュールの代わりに前記放送波の出力を行う代替処理を行うステップとを含む、異常監視方法。
【請求項７】
ケーブルテレビの放送波を出力する複数の伝送モジュールと、前記複数の伝送モジュールと他の装置との間で通信を行うための通信経路と、前記複数の伝送モジュール間を接続する監視経路とを備えるケーブルテレビ装置における異常監視方法であって、
前記複数の伝送モジュールは、１または複数の運用系モジュールと、１つの予備系モジュールとを含み、
前記複数の伝送モジュールの各々は、前記放送波を出力するか否かを切り替えるスイッチを含み、
前記予備系モジュールが、前記監視経路を介して各前記運用系モジュールの状態を監視するステップと、
前記予備系モジュールが、１または複数の前記運用系モジュールの異常を検出するステップと、
前記予備系モジュールが、前記運用系モジュールの異常を検出した場合、異常を検出した前記運用系モジュールである異常モジュールの前記スイッチをオフするステップとを含む、異常監視方法。
【請求項８】
ケーブルテレビの放送波を出力する複数の伝送モジュールと、前記複数の伝送モジュールと他の装置との間で通信を行うための通信経路と、前記複数の伝送モジュール間を接続する監視経路とを備えるケーブルテレビ装置における異常監視方法であって、
前記複数の伝送モジュールは、１または複数の運用系モジュールと、１つの予備系モジュールとを含み、
前記予備系モジュールが、前記監視経路を介して各前記運用系モジュールの状態を監視するステップと、
前記予備系モジュールが、前記各運用系モジュールの異常を検出していない状態において、前記放送波を受信し、受信した前記放送波に含まれるＳＩ情報を取得して保持するステップとを含む、異常監視方法。
【発明の詳細な説明】
【技術分野】
【０００１】
本発明は、ケーブルテレビ装置および異常監視方法に関する。
【背景技術】
【０００２】
従来、地上デジタル放送、ＢＳ（Ｂｒｏａｄｃａｓｔｉｎｇ  Ｓａｔｅｌｌｉｔｅ）デジタル放送および高度広帯域衛星デジタル放送等の映像コンテンツに係る映像データの中継を行う技術が開発されている。たとえば、特開２０１３−０９０１９０号公報（特許文献１）には、以下のような中継装置が開示されている。すなわち、中継装置は、複数の映像再生機器が接続されるとともに、配信された映像データを前記映像再生機器に中継する中継装置であって、前記映像データを視聴する視聴者を識別するための識別情報を前記複数の映像再生機器のいずれかを介して受け付ける受付部と、前記識別情報の受け付けに介在した映像再生機器に対して、前記識別情報に応じた中継制御を行う中継制御部とを備えている。
【先行技術文献】
【特許文献】
【０００３】
【特許文献１】特開２０１３−０９０１９０号公報
【発明の概要】
【発明が解決しようとする課題】
【０００４】
このようなケーブルテレビ等の放送波を出力する装置に異常が生じた場合において、異常の影響を効果的に抑えることが可能な技術が望まれる。
【０００５】
この発明は、上述の課題を解決するためになされたもので、その目的は、放送波を出力する構成において、異常が生じた場合に、異常の影響を効果的に抑えることが可能なケーブルテレビ装置および異常監視方法を提供することである。
【課題を解決するための手段】
【０００６】
（１）上記課題を解決するために、この発明のある局面に係わるケーブルテレビ装置は、ケーブルテレビの放送波を出力する複数の伝送モジュールと、前記複数の伝送モジュールと他の装置との間で通信を行うための通信経路と、前記複数の伝送モジュール間を接続する監視経路とを備え、前記複数の伝送モジュールは、１または複数の運用系モジュールと、１つの予備系モジュールとを含み、前記予備系モジュールは、前記監視経路を介して各前記運用系モジュールの状態を監視可能であり、前記予備系モジュールは、前記運用系モジュールの異常を検出した場合、異常を検出した前記運用系モジュールである異常モジュールの代わりに前記放送波の出力を行う代替処理を行う。
【０００７】
（６）上記課題を解決するために、この発明のある局面に係わる異常監視方法は、ケーブルテレビの放送波を出力する複数の伝送モジュールと、前記複数の伝送モジュールと他の装置との間で通信を行うための通信経路と、前記複数の伝送モジュール間を接続する監視経路とを備えるケーブルテレビ装置における異常監視方法であって、前記複数の伝送モジュールは、１または複数の運用系モジュールと、１つの予備系モジュールとを含み、前記予備系モジュールが、前記監視経路を介して各前記運用系モジュールの状態を監視するステップと、前記予備系モジュールが、１または複数の前記運用系モジュールの異常を検出するステップと、前記予備系モジュールが、前記運用系モジュールの異常を検出した場合、異常を検出した前記運用系モジュールである異常モジュールの代わりに前記放送波の出力を行う代替処理を行うステップとを含む。
【０００８】
（７）上記課題を解決するために、この発明のある局面に係わる異常監視方法は、ケーブルテレビの放送波を出力する複数の伝送モジュールと、前記複数の伝送モジュールと他の装置との間で通信を行うための通信経路と、前記複数の伝送モジュール間を接続する監視経路とを備えるケーブルテレビ装置における異常監視方法であって、前記複数の伝送モジュールは、１または複数の運用系モジュールと、１つの予備系モジュールとを含み、前記複数の伝送モジュールの各々は、前記放送波を出力するか否かを切り替えるスイッチを含み、前記予備系モジュールが、前記監視経路を介して各前記運用系モジュールの状態を監視するステップと、前記予備系モジュールが、１または複数の前記運用系モジュールの異常を検出するステップと、前記予備系モジュールが、前記運用系モジュールの異常を検出した場合、異常を検出した前記運用系モジュールである異常モジュールの前記スイッチをオフするステップとを含む。
【０００９】
（８）上記課題を解決するために、この発明のある局面に係わる異常監視方法は、ケーブルテレビの放送波を出力する複数の伝送モジュールと、前記複数の伝送モジュールと他の装置との間で通信を行うための通信経路と、前記複数の伝送モジュール間を接続する監視経路とを備えるケーブルテレビ装置における異常監視方法であって、前記複数の伝送モジュールは、１または複数の運用系モジュールと、１つの予備系モジュールとを含み、前記予備系モジュールが、前記監視経路を介して各前記運用系モジュールの状態を監視するステップと、前記予備系モジュールが、前記各運用系モジュールの異常を検出していない状態において、前記放送波を受信し、受信した前記放送波に含まれるＳＩ情報を取得して保持するステップとを含む。
【００１０】
本発明は、このような特徴的な処理部を備えるケーブルテレビ装置として実現することができるだけでなく、かかる特徴的な処理のステップをコンピュータに実行させるためのプログラムとして実現することができる。また、本発明は、ケーブルテレビ装置の一部または全部を実現する半導体集積回路として実現したり、ケーブルテレビ装置を含むシステムとして実現したりすることができる。
【発明の効果】
【００１１】
本発明によれば、放送波を出力する構成において、異常が生じた場合に、異常の影響を効果的に抑えることができる。
【図面の簡単な説明】
【００１２】
【図１】図１は、本発明の実施の形態に係る放送再送信システムの構成を示す図である。
【図２】図２は、本発明の実施の形態に係る放送再送信システムにおけるケーブルテレビ装置の構成を示す図である。
【図３】図３は、本発明の実施の形態に係るケーブルテレビ装置における運用系モジュールの構成を示す図である。
【図４】図４は、本発明の実施の形態に係るケーブルテレビ装置における予備系モジュールの構成を示す図である。
【図５】図５は、本発明の実施の形態に係るケーブルテレビ装置における監視経路の一例を示す図である。
【図６】図６は、本発明の実施の形態に係る放送再送信システムにおけるケーブルテレビ装置が行う伝送モジュールの異常監視のシーケンスを示す図である。
【図７】図７は、本発明の実施の形態に係るケーブルテレビ装置における予備系モジュールが代替処理を行う際の動作手順を定めたフローチャートである。
【発明を実施するための形態】
【００１３】
最初に、本発明の実施形態の内容を列記して説明する。
【００１４】
（１）本発明の実施の形態に係るケーブルテレビ装置は、ケーブルテレビの放送波を出力する複数の伝送モジュールと、前記複数の伝送モジュールと他の装置との間で通信を行うための通信経路と、前記複数の伝送モジュール間を接続する監視経路とを備え、前記複数の伝送モジュールは、１または複数の運用系モジュールと、１つの予備系モジュールとを含み、前記予備系モジュールは、前記監視経路を介して各前記運用系モジュールの状態を監視可能であり、前記予備系モジュールは、前記運用系モジュールの異常を検出した場合、異常を検出した前記運用系モジュールである異常モジュールの代わりに前記放送波の出力を行う代替処理を行う。
【００１５】
このように、たとえば各局の放送波に対応する複数の伝送モジュールを１つの装置が備える構成により、製造コストを抑えるとともに保守作業を容易に行うことができる。また、ケーブルテレビ装置が自己の状態を監視する構成により、ＰＣ等の他の装置を用いることなく状態を監視することができるため、保守性を向上させることができる。また、予備系モジュールが代替処理を行う構成により、たとえば運用系モジュールの故障等により番組が途中で中断した場合、より短い時間で放送波の出力を切り替えて番組の中断期間を短縮することができる。これにより、異常が生じた場合に、番組の配信の長時間にわたる中断を回避可能な可用性の高いシステムを構築することができる。したがって、放送波を出力する構成において、異常が生じた場合に、異常の影響を効果的に抑えることができる。
【００１６】
（２）好ましくは、前記予備系モジュールは、各前記運用系モジュールの設定情報を記憶する記憶部を含む。
【００１７】
このような構成により、ＰＣ等の他の装置を用いることなく運用系モジュールの設定内容をバックアップすることができる。
【００１８】
（３）好ましくは、前記ケーブルテレビ装置は、さらに、各前記運用系モジュールから出力された前記放送波および前記予備系モジュールから出力された前記放送波を合波する合波部を備え、前記複数の伝送モジュールの各々は、前記放送波を出力するか否かを切り替えるスイッチを含み、前記予備系モジュールは、前記代替処理において、前記異常モジュールの前記スイッチをオフする。
【００１９】
このように、運用系モジュールの放送波の出力をハードウェア的に停止させる構成により、運用系モジュールから異常な放送波が出力されることをより確実に防ぐことができる。
【００２０】
（４）好ましくは、前記監視経路は、前記複数の伝送モジュールを相互に接続する複数の経路を含み、前記複数の伝送モジュールの各々が、前記予備系モジュールとして使用可能である。
【００２１】
このような構成により、運用系モジュールと予備系モジュールとを共通化して製造コストを抑えることができる。
【００２２】
（５）好ましくは、前記放送波は、衛星放送の放送波であり、前記予備系モジュールは、前記代替処理を行っていない状態において、前記放送波を受信し、受信した前記放送波に含まれるＳＩ（Ｓｅｒｖｉｃｅ  Ｉｎｆｏｒｍａｔｉｏｎ）情報を取得して保持する。
【００２３】
このように、予備系モジュールにおいて予めＳＩ情報を保持する構成により、たとえば運用系モジュールの故障等により番組の配信が途中で中断した場合、より短い時間で放送波の出力を開始し、番組の配信を再開することができる。
【００２４】
（６）本発明の実施の形態に係る異常監視方法は、ケーブルテレビの放送波を出力する複数の伝送モジュールと、前記複数の伝送モジュールと他の装置との間で通信を行うための通信経路と、前記複数の伝送モジュール間を接続する監視経路とを備えるケーブルテレビ装置における異常監視方法であって、前記複数の伝送モジュールは、１または複数の運用系モジュールと、１つの予備系モジュールとを含み、前記予備系モジュールが、前記監視経路を介して各前記運用系モジュールの状態を監視するステップと、前記予備系モジュールが、１または複数の前記運用系モジュールの異常を検出するステップと、前記予備系モジュールが、前記運用系モジュールの異常を検出した場合、異常を検出した前記運用系モジュールである異常モジュールの代わりに前記放送波の出力を行う代替処理を行うステップとを含む。
【００２５】
このように、たとえば各局の放送波に対応する複数の伝送モジュールを１つの装置が備える構成により、製造コストを抑えるとともに保守作業を容易に行うことができる。また、ケーブルテレビ装置が自己の状態を監視する構成により、ＰＣ等の他の装置を用いることなく状態を監視することができるため、保守性を向上させることができる。また、予備系モジュールが代替処理を行う構成により、たとえば運用系モジュールの故障等により番組が途中で中断した場合、より短い時間で放送波の出力を切り替えて番組の中断期間を短縮することができる。これにより、異常が生じた場合に、番組の配信の長時間にわたる中断を回避可能な可用性の高いシステムを構築することができる。したがって、放送波を出力する構成において、異常が生じた場合に、異常の影響を効果的に抑えることができる。
【００２６】
（７）本発明の実施の形態に係る異常監視方法は、ケーブルテレビの放送波を出力する複数の伝送モジュールと、前記複数の伝送モジュールと他の装置との間で通信を行うための通信経路と、前記複数の伝送モジュール間を接続する監視経路とを備えるケーブルテレビ装置における異常監視方法であって、前記複数の伝送モジュールは、１または複数の運用系モジュールと、１つの予備系モジュールとを含み、前記複数の伝送モジュールの各々は、前記放送波を出力するか否かを切り替えるスイッチを含み、前記予備系モジュールが、前記監視経路を介して各前記運用系モジュールの状態を監視するステップと、前記予備系モジュールが、１または複数の前記運用系モジュールの異常を検出するステップと、前記予備系モジュールが、前記運用系モジュールの異常を検出した場合、異常を検出した前記運用系モジュールである異常モジュールの前記スイッチをオフするステップとを含む。
【００２７】
このように、たとえば各局の放送波に対応する複数の伝送モジュールを１つの装置が備える構成により、製造コストを抑えるとともに保守作業を容易に行うことができる。また、ケーブルテレビ装置が自己の状態を監視する構成により、ＰＣ等の他の装置を用いることなく状態を監視することができるため、保守性を向上させることができる。また、運用系モジュールの放送波の出力をハードウェア的に停止させる構成により、運用系モジュールから異常な放送波が出力されることをより確実に防ぐことができる。したがって、放送波を出力する構成において、異常が生じた場合に、異常の影響を効果的に抑えることができる。
【００２８】
（８）本発明の実施の形態に係る異常監視方法は、ケーブルテレビの放送波を出力する複数の伝送モジュールと、前記複数の伝送モジュールと他の装置との間で通信を行うための通信経路と、前記複数の伝送モジュール間を接続する監視経路とを備えるケーブルテレビ装置における異常監視方法であって、前記複数の伝送モジュールは、１または複数の運用系モジュールと、１つの予備系モジュールとを含み、前記予備系モジュールが、前記監視経路を介して各前記運用系モジュールの状態を監視するステップと、前記予備系モジュールが、前記各運用系モジュールの異常を検出していない状態において、前記放送波を受信し、受信した前記放送波に含まれるＳＩ情報を取得して保持するステップとを含む。
【００２９】
このように、たとえば各局の放送波に対応する複数の伝送モジュールを１つの装置が備える構成により、製造コストを抑えるとともに保守作業を容易に行うことができる。また、ケーブルテレビ装置が自己の状態を監視する構成により、ＰＣ等の他の装置を用いることなく状態を監視することができるため、保守性を向上させることができる。また、予備系モジュールにおいて予めＳＩ情報を保持する構成により、たとえば運用系モジュールの故障等により番組の配信が途中で中断した場合、より短い時間で放送波の出力を開始し、番組の配信を再開することができる。したがって、放送波を出力する構成において、異常が生じた場合に、異常の影響を効果的に抑えることができる。
【００３０】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３１】
図１は、本発明の実施の形態に係る放送再送信システムの構成を示す図である。
【００３２】
図１を参照して、放送再送信システム３０１は、ケーブルテレビ装置１０１と、ケーブルテレビ網１０と、複数のＳＴＢ（Ｓｅｔ  Ｔｏｐ  Ｂｏｘ）１３１とを備える。ＳＴＢ１３１は、ＴＶモニタ１３３に接続されている。
【００３３】
なお、放送再送信システム３０１は、複数のＳＴＢ１３１を備える構成に限らず、１つのＳＴＢ１３１を備える構成であってもよい。
【００３４】
ケーブルテレビ装置１０１は、たとえば、ケーブルテレビ放送を提供する事業者の局舎１５１に設けられる。ＳＴＢ１３１およびＴＶモニタ１３３は、加入者宅１５２に設けられる。
【００３５】
ケーブルテレビ装置１０１には、たとえば、外部アンテナ８１が接続されている。ケーブルテレビ装置１０１は、たとえばストリームを含む放送波を受信する。
【００３６】
ストリームは、番組の情報等を含む。番組の情報は、たとえば、音声情報、映像情報、ＥＰＧ（Ｅｌｅｃｔｒｏｎｉｃ  Ｐｒｏｇｒａｍ  Ｇｕｉｄｅ）情報、ＳＩ情報（Ｓｅｒｖｉｃｅ  Ｉｎｆｏｒｍａｔｉｏｎ）および字幕情報等を含む。
【００３７】
音声情報および映像情報は、たとえば、所定の方式に従って、圧縮および暗号化が施されている。
【００３８】
ケーブルテレビ装置１０１は、たとえば、放送局からのストリームを中継するための、図示しない高度広帯域衛星デジタル放送用の放送衛星から送信された衛星放送波を外部アンテナ８１経由で受信する。
【００３９】
なお、ケーブルテレビ装置１０１は、たとえば、電波塔から送信された放送波を外部アンテナ８１経由で受信してもよい。
【００４０】
ケーブルテレビ装置１０１は、受信した衛星放送波から番組の情報を取得し、取得した番組の情報を含む放送波をケーブルテレビ網１０を介して各加入者宅１５２へ送信する。
【００４１】
ＳＴＢ１３１は、たとえば、ケーブルテレビ装置１０１から送信される放送波をケーブルテレビ網１０を介して受信する。
【００４２】
ＳＴＢ１３１は、ケーブルテレビ装置１０１からの放送波を受信すると、受信した放送波から番組の情報を取得し、取得した番組の情報に基づいて音声情報および映像情報をデコードし、デコード後の音声情報および映像情報をＴＶモニタ１３３へ送信する。
【００４３】
ＴＶモニタ１３３は、ＳＴＢ１３１から受信した音声情報および映像情報に基づいて番組を再生する。
【００４４】
［課題］
複数の放送局からのストリームにそれぞれ対応する複数の装置で構成されるシステムでは、制御用のＰＣ等を用いて各装置を別個に監視するため、故障等の発見に時間を要する。
【００４５】
また、制御用のＰＣ等に各装置の設定内容等が保存されている場合、当該設定内容の反映等の復旧に時間を要するため、たとえばユーザにおいて視聴中の番組が途中で長時間中断する等、ユーザの使用感が低下する。
【００４６】
これに対して、本発明の実施の形態に係るケーブルテレビ装置では、以下のような構成および動作により、上記課題を解決する。
【００４７】
図２は、本発明の実施の形態に係る放送再送信システムにおけるケーブルテレビ装置の構成を示す図である。
【００４８】
図２を参照して、ケーブルテレビ装置１０１は、複数の伝送モジュール２１と、通信経路２２と、監視経路２３と、合波部２４とを備える。
【００４９】
複数の伝送モジュール２１は、１または複数の運用系モジュール３１と、１つの予備系モジュール３２とを含む。運用系モジュール３１および予備系モジュール３２のハードウェアの構成は、たとえば同じである。
【００５０】
ケーブルテレビ装置１０１は、複数の伝送モジュール２１が挿入される複数のスロットと、複数のスロットを接続するための基板ＢＰとが設けられたラックとを備える。
【００５１】
ケーブルテレビ装置１０１におけるスロットの各々には、運用系モジュール３１および予備系モジュール３２のいずれかが挿入される。
【００５２】
複数の伝送モジュール２１間を接続する監視経路２３は、基板ＢＰにおける配線パターンによって形成される。すなわち、複数の伝送モジュール２１は、能動素子を介さず、電気的に直接接続される。これにより、ケーブルテレビ装置１０１における監視系の信頼性を向上させることができる。
【００５３】
図３は、本発明の実施の形態に係るケーブルテレビ装置における運用系モジュールの構成を示す図である。
【００５４】
図４は、本発明の実施の形態に係るケーブルテレビ装置における予備系モジュールの構成を示す図である。
【００５５】
図３および図４を参照して、運用系モジュール３１および予備系モジュール３２の各々は、記憶部４１と、チューナ４２と、変調部４３と、スイッチ４４と、制御部４５とを備える。
【００５６】
図２、図３および図４を参照して、複数の伝送モジュール２１は、通信経路２２を介して制御用のＰＣ等の他の装置との間で通信を行う。
【００５７】
より詳細には、各伝送モジュール２１は、通信経路２２に含まれるハブ機能を有するインターフェイスモジュール３３経由で制御用のＰＣ等からの設定情報等を受信する。
【００５８】
具体的には、運用系モジュール３１における制御部４５は、制御用のＰＣ等から通信経路２２を介して自己の設定情報を受信し、受信した設定情報の示す設定内容を自己のチューナ４２および変調部４３等に反映させる。
【００５９】
そして、運用系モジュール３１におけるチューナ４２は、制御部４５によって反映された設定内容に従い、たとえば外部アンテナ８１経由で受信した放送波を復調することにより、番組の情報および時刻合わせ情報等を含むストリームを生成し、生成したストリームを変調部４３へ出力する。
【００６０】
たとえば、衛星放送波において、高度広帯域衛星デジタル放送の複数のストリームを効率良く伝送するためのフレームが含まれることが規定されている。ストリームの伝送は、フレームの構造を維持したまま行われる。
【００６１】
フレームには、最大で１６の放送局の番組にそれぞれ対応する複数のストリームを含めることが可能である。
【００６２】
また、チューナ４２は、たとえば外部アンテナ８１経由で受信した放送波に含まれるＳＩ（Ｓｅｒｖｉｃｅ  Ｉｎｆｏｒｍａｔｉｏｎ）情報を取得し、取得したＳＩ情報を変調部４３へ出力する。
【００６３】
また、チューナ４２は、たとえば外部アンテナ８１経由で受信した放送波のＣ／Ｎ（Ｃａｒｒｉｅｒ  ｔｏ  Ｎｏｉｓｅ  Ｒａｔｉｏ：搬送波対雑音比）を測定し、測定したＣ／Ｎを制御部４５へ出力する。
【００６４】
変調部４３は、チューナ４２から受けた１または複数のストリームをそれぞれ変調することにより、ケーブルテレビ網１０に対応する放送波をストリームごとに生成する。
【００６５】
また、変調部４３は、チューナ４２から受けたＳＩ情報の内容を、生成した各放送波に対応する内容に書き換えたＳＩ情報を対応の放送波に含めてスイッチ４４へ出力する。
【００６６】
スイッチ４４は、変調部４３から受けた放送波を合波部２４へ出力するか否かを切り替える。
【００６７】
制御部４５は、スイッチ４４を制御することにより、変調部４３によって生成された放送波を合波部２４へ出力するか否かを切り替える。
【００６８】
運用系モジュール３１における制御部４５は、通常時において、スイッチ４４をオン状態とする。これにより、変調部４３からの放送波が合波部２４へ出力される。
【００６９】
なお、運用系モジュール３１は、変調部４３を備えなくてもよい。この場合、チューナ４２は、外部アンテナ８１経由で受信した放送波の復調およびＳＩ情報の書き換えを行わずに当該放送波の増幅等を行って合波部２４へ出力する。
【００７０】
合波部２４は、各運用系モジュール３１から出力された放送波を合波してたとえばケーブルテレビ網１０へ出力する。
【００７１】
たとえば、予備系モジュール３２における記憶部４１は、各運用系モジュール３１の設定情報を記憶する。
【００７２】
より詳細には、予備系モジュール３２における制御部４５は、通信経路２２を介して制御用のＰＣ等と通信を行い、制御用のＰＣ等から各運用系モジュール３１の設定情報を受信し、受信した各設定情報を記憶部４１に保存する。
【００７３】
予備系モジュール３２は、監視経路２３を介して各運用系モジュール３１の状態を監視可能である。
【００７４】
たとえば、監視経路２３は、複数の伝送モジュール２１を相互に接続する複数の経路を含む。
【００７５】
図５は、本発明の実施の形態に係るケーブルテレビ装置における監視経路の一例を示す図である。図５は、一例として、運用系モジュール３１である２つの運用系モジュール３１Ａ，３１Ｂと、１つの予備系モジュール３２とを示す。
【００７６】
図５を参照して、監視経路２３は、状態検出系の監視経路２３Ａと、出力制御系の監視経路２３Ｂとを含む。
【００７７】
運用系モジュール３１Ａは、入力端子ＰＩＡＡと、入力端子ＰＩＡＢと、入力端子ＰＩＡＣと、出力端子ＰＯＡＡと、出力端子ＰＯＡＢと、出力端子ＰＯＡＣとを含む。
【００７８】
運用系モジュール３１Ｂは、入力端子ＰＩＢＡと、入力端子ＰＩＢＢと、入力端子ＰＩＢＣと、出力端子ＰＯＢＡと、出力端子ＰＯＢＢと、出力端子ＰＯＢＣとを含む。
【００７９】
予備系モジュール３２は、入力端子ＰＩＣＡと、入力端子ＰＩＣＢと、入力端子ＰＩＣＣと、出力端子ＰＯＣＡと、出力端子ＰＯＣＢと、出力端子ＰＯＣＣとを含む。
【００８０】
運用系モジュール３１Ａの出力端子ＰＯＡＡは、監視経路２３Ａを介して、運用系モジュール３１Ｂの入力端子ＰＩＢＡおよび予備系モジュール３２の入力端子ＰＩＣＡに接続されている。
【００８１】
運用系モジュール３１Ｂの出力端子ＰＯＢＢは、監視経路２３Ａを介して、運用系モジュール３１Ａの入力端子ＰＩＡＢおよび予備系モジュール３２の入力端子ＰＩＣＢに接続されている。
【００８２】
予備系モジュール３２の出力端子ＰＯＣＣは、監視経路２３Ａを介して、運用系モジュール３１Ａの入力端子ＰＩＡＣおよび運用系モジュール３１Ｂの入力端子ＰＩＢＣに接続されている。
【００８３】
図３および図５を参照して、運用系モジュール３１Ａにおける制御部４５は、出力端子ＰＯＡＡおよび監視経路２３Ａを介して運用系モジュール３１Ｂの入力端子ＰＩＢＡおよび予備系モジュール３２の入力端子ＰＩＣＡへ状態情報を出力する。
【００８４】
また、運用系モジュール３１Ｂにおける制御部４５は、出力端子ＰＯＢＢおよび監視経路２３Ａを介して運用系モジュール３１Ａの入力端子ＰＩＡＢおよび予備系モジュール３２の入力端子ＰＩＣＢへ状態情報を出力する。
【００８５】
また、予備系モジュール３２における制御部４５は、出力端子ＰＯＣＣおよび監視経路２３Ａを介して運用系モジュール３１Ａの入力端子ＰＩＡＣおよび運用系モジュール３１Ｂの入力端子ＰＩＢＣへ状態情報を出力可能である。
【００８６】
状態情報は、一例として、ハイレベルおよびローレベルを２００ミリ秒ごとに交互に繰り返すトグル信号である。
【００８７】
運用系モジュール３１における制御部４５は、受信した放送波のＣ／Ｎが低い等の異常、または自己に関する異常を検知した場合、トグル信号の出力を停止する。
【００８８】
より詳細には、たとえば、制御部４５は、トグル信号がハイレベルであるときに上記異常を検知した場合、ハイレベル固定の信号を対応の出力端子を介して他の運用系モジュール３１および予備系モジュール３２へ出力する。
【００８９】
また、制御部４５は、トグル信号がローレベルであるときに上記異常を検知した場合、ローレベル固定の信号を対応の出力端子を介して他の運用系モジュール３１および予備系モジュール３２へ出力する。
【００９０】
予備系モジュール３２における制御部４５は、トグル信号を監視する。より詳細には、制御部４５は、たとえば、入力端子ＰＩＣＡを介して運用系モジュール３１Ａからのトグル信号を受信し、受信したトグル信号がハイレベルおよびローレベルを２００ミリ秒ごとに繰り返す場合、トグル信号の送信元である運用系モジュール３１Ａを正常であると判断する。
【００９１】
また、制御部４５は、受信した運用系モジュール３１Ａからのトグル信号がたとえば３００ミリ秒以上の間、ハイレベルまたはローレベルに固定されている場合、トグル信号の送信元である運用系モジュール３１Ａを異常であると判断する。
【００９２】
また、制御部４５は、何らかの要因により運用系モジュール３１Ａが停止した場合、入力端子ＰＩＣＡを介して固定レベルのトグル信号を受信するため、トグル信号の送信元である運用系モジュール３１Ａの異常を検出することができる。
【００９３】
これにより、制御用のＰＣおよび通信経路２２等を用いることなく運用系モジュール３１の状態確認を行うことができる。
【００９４】
予備系モジュール３２は、運用系モジュール３１の異常を検出した場合、異常を検出した運用系モジュール３１である異常モジュールの代わりに放送波の出力を行う代替処理を行う。
【００９５】
再び図４を参照して、より詳細には、予備系モジュール３２における制御部４５は、たとえば運用系モジュール３１Ａの異常を検出した場合、記憶部４１から運用系モジュール３１Ａの設定情報を取得し、取得した設定情報の示す設定内容を自己のチューナ４２および変調部４３等に反映させる。
【００９６】
また、たとえば、予備系モジュール３２は、代替処理を行っていない状態において、放送波を受信し、受信した放送波に含まれるＳＩ情報を取得して保持する。
【００９７】
より詳細には、予備系モジュール３２におけるチューナ４２は、たとえば外部アンテナ８１を介して各運用系モジュール３１に対応する放送波を受信し、受信した各放送波に含まれるＳＩ情報を取得し、取得した各ＳＩ情報を記憶部４１に保存する。
【００９８】
そして、予備系モジュール３２におけるチューナ４２は、制御部４５によって反映された設定内容に従い、たとえば外部アンテナ８１経由で受信した放送波を復調することにより、番組の情報および時刻合わせ情報等を含む１または複数のストリームを生成し、生成したストリームを変調部４３へ出力する。
【００９９】
変調部４３は、チューナ４２から受けた１または複数のストリームをそれぞれ変調することにより、ケーブルテレビ網１０に対応する放送波をストリームごとに生成する。
【０１００】
また、変調部４３は、記憶部４１からＳＩ情報を取得し、取得したＳＩ情報の示す内容を、生成した各放送波に対応する内容に書き換えたＳＩ情報を当該各放送波に含めてスイッチ４４へ出力する。
【０１０１】
予備系モジュール３２における制御部４５は、代替処理を行っていない状態において、自己のスイッチ４４をオフ状態とする。これにより、変調部４３からの放送波の合波部２４への出力がハードウェア的に停止されている。
【０１０２】
たとえば、予備系モジュール３２は、代替処理において、異常モジュールのスイッチをオフする。
【０１０３】
より詳細には、予備系モジュール３２における制御部４５は、監視経路２３Ｂを介して運用系モジュール３１におけるスイッチ４４を制御することにより、運用系モジュール３１における変調部４３によって生成された放送波を合波部２４へ出力するか否かを切り替える。
【０１０４】
再び図５を参照して、予備系モジュール３２の出力端子ＰＯＣＡおよび運用系モジュール３１Ｂの出力端子ＰＯＢＡは、監視経路２３Ｂを介して、それぞれ運用系モジュール３１Ａの入力端子ＰＩＡＡに接続されている。
【０１０５】
また、予備系モジュール３２の出力端子ＰＯＣＢおよび運用系モジュール３１Ａの出力端子ＰＯＡＢは、監視経路２３Ｂを介して、それぞれ運用系モジュール３１Ｂの入力端子ＰＩＢＢに接続されている。
【０１０６】
また、運用系モジュール３１Ａの出力端子ＰＯＡＣおよび運用系モジュール３１Ｂの出力端子ＰＯＢＣは、監視経路２３Ｂを介して、それぞれ予備系モジュール３２の入力端子ＰＩＣＣに接続されている。
【０１０７】
予備系モジュール３２の出力端子ＰＯＣＡ、運用系モジュール３１Ｂの出力端子ＰＯＢＡおよび運用系モジュール３１Ａの入力端子ＰＩＡＡは、ワイヤードＯＲ接続されている。
【０１０８】
運用系モジュール３１Ａの出力端子ＰＯＡＢ、予備系モジュール３２の出力端子ＰＯＣＢおよび運用系モジュール３１Ｂの入力端子ＰＩＢＢは、ワイヤードＯＲ接続されている。
【０１０９】
運用系モジュール３１Ａの出力端子ＰＯＡＣ、運用系モジュール３１Ｂの出力端子ＰＯＢＣおよび予備系モジュール３２の入力端子ＰＩＣＣは、ワイヤードＯＲ接続されている。
【０１１０】
たとえば、運用系モジュール３１Ａにおけるスイッチ４４は、予備系モジュール３２の出力端子ＰＯＣＡまたは運用系モジュール３１Ｂの出力端子ＰＯＢＡを介して出力された制御信号により制御される。
【０１１１】
より詳細には、予備系モジュール３２における制御部４５は、たとえば異常を検出した運用系モジュール３１Ａのスイッチ４４をオフするための制御信号を、出力端子ＰＯＣＡおよび監視経路２３Ｂを介して運用系モジュール３１Ａの入力端子ＰＩＡＡへ出力する。
【０１１２】
運用系モジュール３１Ａにおけるスイッチ４４は、予備系モジュール３２から監視経路２３Ｂおよび入力端子ＰＩＡＡを介して受けた制御信号に従い、変調部４３によって生成された放送波の合波部２４への出力を停止する。これにより、運用系モジュール３１Ａは、合波部２４への放送波の出力を停止する。
【０１１３】
そして、予備系モジュール３２における制御部４５は、制御信号を運用系モジュール３１Ａへ出力した後、自己の予備系モジュール３２におけるスイッチ４４をオンすることにより、自己の変調部４３によって生成された放送波を合波部２４へ出力する。
【０１１４】
これにより、予備系モジュール３２から、変調部４３によって生成された放送波、すなわち異常モジュールである運用系モジュール３１Ａから出力されていた放送波と同じ設定情報に基づく放送波が合波部２４へ出力される。
【０１１５】
ケーブルテレビ装置１０１では、たとえば、複数の伝送モジュール２１の各々が、予備系モジュール３２として使用可能である。
【０１１６】
たとえば、運用系モジュール３１Ｂの出力端子ＰＯＢＡは、当該運用系モジュール３１Ｂが予備系モジュール３２として用いられる場合に使用される。
【０１１７】
この場合、運用系モジュール３１Ｂの制御部４５は、運用系モジュール３１Ａの異常を検出した場合、出力端子ＰＯＢＡおよび監視経路２３Ｂを介して運用系モジュール３１Ａの入力端子ＰＩＡＡへ、運用系モジュール３１Ａにおけるスイッチ４４をオフするための制御信号を出力する。
【０１１８】
なお、予備系モジュール３２に限らず、運用系モジュール３１Ａおよび運用系モジュール３１Ｂの少なくともいずれか一方における制御部４５が、通信経路２２を介して制御用のＰＣ等と通信を行い、制御用のＰＣ等から他の各運用系モジュール３１の設定情報を受信し、受信した各設定情報を記憶部４１に保存する構成であってもよい。
【０１１９】
合波部２４は、運用系モジュール３１Ｂおよび予備系モジュール３２から出力された放送波を合波してケーブルテレビ網１０へ出力する。
【０１２０】
これにより、制御用のＰＣおよび通信経路２２等を用いることなく予備系モジュール３２を運用系モジュール３１に切り替えて使用することができる。
【０１２１】
予備系モジュール３２は、ＰＣ等を用いた復旧作業に要する時間より短い時間で自己のスイッチ４４を切り替え、放送波を出力可能である。このため、たとえば、ユーザが意識しないオーダーの中断時間にて番組の配信を再開することができるため、ユーザにおける違和感の発生を抑制することができる。
【０１２２】
［動作の流れ］
放送再送信システム３０１における各装置は、メモリを含むコンピュータを備え、当該コンピュータにおけるＣＰＵ等の演算処理部は、以下のシーケンス図またはフローチャートの各ステップの一部または全部を含むプログラムを当該メモリからそれぞれ読み出して実行する。これら複数の装置のプログラムは、それぞれ、外部からインストールすることができる。これら複数の装置のプログラムは、それぞれ、記録媒体に格納された状態で流通する。
【０１２３】
図６は、本発明の実施の形態に係る放送再送信システムにおけるケーブルテレビ装置が行う伝送モジュールの異常監視のシーケンスを示す図である。図６は、一例として、２つの運用系モジュール３１Ａ，３１Ｂと、１つの予備系モジュール３２とを示す。
【０１２４】
図６を参照して、まず、ケーブルテレビ装置１０１における運用系モジュール３１Ａは、運用系モジュール３１Ｂおよび予備系モジュール３２へ状態情報を出力する。また、運用系モジュール３１Ｂは、運用系モジュール３１Ａおよび予備系モジュール３２へ状態情報を出力する。
【０１２５】
ケーブルテレビ装置１０１における予備系モジュール３２は、運用系モジュール３１Ａおよび運用系モジュール３１Ｂから監視経路２３Ａを介して受けた各状態情報に基づいて、運用系モジュール３１Ａおよび運用系モジュール３１Ｂの状態を監視する（ステップＳ１０１）。
【０１２６】
次に、予備系モジュール３２は、たとえば運用系モジュール３１Ｂからのトグル信号が停止したことにより運用系モジュール３１Ｂの異常を検出し（ステップＳ１０２）、代替処理として、自己の記憶部４１から運用系モジュール３１Ｂの設定情報を取得し、取得した設定情報の示す設定内容を自己のチューナ４２および変調部４３等に設定する（ステップＳ１０３）。
【０１２７】
次に、予備系モジュール３２は、代替処理として、トグル信号の出力が停止した運用系モジュール３１Ｂである異常モジュールの代わりに放送波の出力を行う（ステップＳ１０４）。
【０１２８】
次に、予備系モジュール３２は、異常を検出した運用系モジュール３１Ｂのスイッチ４４をオフするための制御信号を監視経路２３Ｂを介して運用系モジュール３１Ｂへ出力することにより（ステップＳ１０５）、運用系モジュール３１Ｂにおけるスイッチ４４をオフして放送波の出力を停止する（ステップＳ１０６）。
【０１２９】
図７は、本発明の実施の形態に係るケーブルテレビ装置における予備系モジュールが代替処理を行う際の動作手順を定めたフローチャートである。
【０１３０】
図７を参照して、まず、予備系モジュール３２は、代替処理を行っていない状態において、放送波を受信し、受信した放送波に含まれるＳＩ情報を取得して保持する（ステップＳ２０１）。
【０１３１】
次に、予備系モジュール３２は、運用系モジュール３１から監視経路２３Ａを介して受けた状態情報に基づいて、運用系モジュール３１の異常を検出した場合（ステップＳ２０２ＹＥＳ）、異常を検出した運用系モジュール３１である異常モジュールの設定情報を記憶部４１から取得し、取得した設定情報の示す設定内容を自己のチューナ４２および変調部４３等に設定する（ステップＳ２０３）。
【０１３２】
次に、予備系モジュール３２は、異常モジュールのスイッチ４４をオフするための制御信号を監視経路２３Ｂを介して当該異常モジュールへ出力する（ステップＳ２０４）。
【０１３３】
次に、予備系モジュール３２は、自己のスイッチ４４をオンすることにより、設定した内容に従う放送波、すなわち異常モジュールから出力されていた放送波と同じ設定情報に基づく放送波を合波部２４へ出力する（ステップＳ２０５）。
【０１３４】
一方、予備系モジュール３２は、各運用系モジュール３１が正常である場合（ステップＳ２０２でＮＯ）、複数の運用系モジュール３１の監視を継続する（ステップＳ２０１）。
【０１３５】
なお、本発明の実施の形態に係るケーブルテレビ装置では、予備系モジュール３２が記憶部４１を含む構成であるとしたが、これに限定するものではない。予備系モジュール３２は、記憶部４１を含まない構成であってもよい。この場合、予備系モジュール３２は、たとえば、運用系モジュール３１の異常を検出した場合、制御用のＰＣ等の外部の装置から、当該運用系モジュール３１の設定情報等を取得する。
【０１３６】
また、本発明の実施の形態に係るケーブルテレビ装置は、合波部２４を備える構成であるとしたが、これに限定するものではない。合波部２４は、ケーブルテレビ装置１０１の外部に設けられる構成であってもよい。
【０１３７】
また、本発明の実施の形態に係るケーブルテレビ装置では、伝送モジュール２１は、スイッチ４４を含む構成であるとしたが、これに限定するものではない。スイッチ４４は、ケーブルテレビ装置１０１の外部に設けられる構成であってもよい。この場合、予備系モジュール３２は、たとえば、運用系モジュール３１の異常を検出した場合でも、運用系モジュール３１からの放送波の出力を停止する制御を行わない。
【０１３８】
また、本発明の実施の形態に係るケーブルテレビ装置では、予備系モジュール３２は、代替処理において、異常モジュールのスイッチ４４をオフする構成であるとしたが、これに限定するものではない。ケーブルテレビ装置１０１では、たとえば異常モジュールにおける制御部４５が、自己のスイッチ４４をオフすることにより放送波の出力を停止する構成であってもよい。
【０１３９】
また、本発明の実施の形態に係るケーブルテレビ装置では、複数の伝送モジュール２１の各々が、予備系モジュール３２として使用可能な構成であるとしたが、これに限定するものではない。ケーブルテレビ装置１０１は、１つの伝送モジュール２１を予備系モジュール３２として使用する構成であってもよい。
【０１４０】
また、本発明の実施の形態に係るケーブルテレビ装置では、予備系モジュール３２は、代替処理を行っていない状態において、ＳＩ情報を取得して保存する構成であるとしたが、これに限定するものではない。予備系モジュール３２は、代替処理を行っていない状態においてＳＩ情報を取得せず、代替処理を行っている状態において、受信した放送波に含まれるＳＩ情報を取得する構成であってもよい。
【０１４１】
また、本発明の実施の形態に係るケーブルテレビ装置では、複数の運用系モジュール３１を備える構成であるとしたが、これに限定するものではない。ケーブルテレビ装置１０１は、１つの運用系モジュール３１と予備系モジュール３２とを備える構成であってもよい。
【０１４２】
また、本発明の実施の形態に係るケーブルテレビ装置では、予備系モジュール３２は、他のすべての運用系モジュール３１の状態を監視する構成であるとしたが、これに限定するものではない。予備系モジュール３２は、他の各運用系モジュール３１のうちの一部の運用系モジュール３１の状態を監視する構成であってもよい。
【０１４３】
ところで、ケーブルテレビ等の放送波を出力する装置に異常が生じた場合において、異常の影響を効果的に抑えることが可能な技術が望まれる。
【０１４４】
これに対して、本発明の実施の形態に係るケーブルテレビ装置では、複数の伝送モジュール２１は、ケーブルテレビの放送波を出力する。監視経路２３は、複数の伝送モジュール２１間を接続する。複数の伝送モジュール２１は、１または複数の運用系モジュール３１と、１つの予備系モジュール３２とを含む。予備系モジュール３２は、監視経路２３を介して各運用系モジュール３１の状態を監視可能である。予備系モジュール３２は、運用系モジュール３１の異常を検出した場合、異常を検出した運用系モジュール３１である異常モジュールの代わりに放送波の出力を行う代替処理を行う。
【０１４５】
このように、たとえば各局の放送波に対応する複数の伝送モジュール２１を１つのケーブルテレビ装置１０１が備える構成により、製造コストを抑えるとともに保守作業を容易に行うことができる。また、ケーブルテレビ装置１０１が自己の状態を監視する構成により、ＰＣ等の他の装置を用いることなく状態を監視することができるため、保守性を向上させることができる。また、予備系モジュール３２が代替処理を行う構成により、たとえば運用系モジュール３１の故障等により番組が途中で中断した場合、より短い時間で放送波の出力を切り替えて番組の中断期間を短縮することができる。これにより、異常が生じた場合に、番組の配信の長時間にわたる中断を回避可能な可用性の高いシステムを構築することができる。
【０１４６】
したがって、本発明の実施の形態に係るケーブルテレビ装置では、放送波を出力する構成において、異常が生じた場合に、異常の影響を効果的に抑えることができる。
【０１４７】
また、本発明の実施の形態に係るケーブルテレビ装置では、予備系モジュール３２は、各運用系モジュール３１の設定情報を記憶する記憶部を含む。
【０１４８】
このような構成により、ＰＣ等の他の装置を用いることなく運用系モジュール３１の設定内容をバックアップすることができる。
【０１４９】
また、本発明の実施の形態に係るケーブルテレビ装置では、合波部２４は、各運用系モジュール３１から出力された放送波および予備系モジュール３２から出力された放送波を合波する。複数の伝送モジュール２１の各々は、放送波を出力するか否かを切り替えるスイッチ４４を含む。予備系モジュール３２は、代替処理において、異常モジュールのスイッチ４４をオフする。
【０１５０】
このように、運用系モジュール３１の放送波の出力をハードウェア的に停止させる構成により、運用系モジュール３１から異常な放送波が出力されることをより確実に防ぐことができる。
【０１５１】
また、本発明の実施の形態に係るケーブルテレビ装置では、監視経路２３は、複数の伝送モジュール２１を相互に接続する複数の経路を含む。複数の伝送モジュール２１の各々は、予備系モジュール３２として使用可能である。
【０１５２】
このような構成により、運用系モジュール３１と予備系モジュール３２とを共通化して製造コストを抑えることができる。
【０１５３】
また、本発明の実施の形態に係るケーブルテレビ装置では、放送波は、衛星放送の放送波である。予備系モジュール３２は、代替処理を行っていない状態において、放送波を受信し、受信した放送波に含まれるＳＩ情報を取得して保持する。
【０１５４】
このように、予備系モジュール３２において予めＳＩ情報を保持する構成により、たとえば運用系モジュール３１の故障等により番組の配信が途中で中断した場合、より短い時間で放送波の出力を開始し、番組の配信を再開することができる。
【０１５５】
また、本発明の実施の形態に係る異常監視方法では、まず、予備系モジュール３２が、監視経路２３を介して各運用系モジュール３１の状態を監視する。次に、予備系モジュール３２が、１または複数の運用系モジュール３１の異常を検出する。次に、予備系モジュール３２が、運用系モジュール３１の異常を検出した場合、異常を検出した運用系モジュール３１である異常モジュールの代わりに放送波の出力を行う代替処理を行う。
【０１５６】
このように、たとえば各局の放送波に対応する複数の伝送モジュール２１を１つのケーブルテレビ装置１０１が備える構成により、製造コストを抑えるとともに保守作業を容易に行うことができる。また、ケーブルテレビ装置１０１が自己の状態を監視する構成により、ＰＣ等の他の装置を用いることなく状態を監視することができるため、保守性を向上させることができる。また、予備系モジュール３２が代替処理を行う構成により、たとえば運用系モジュール３１の故障等により番組が途中で中断した場合、より短い時間で放送波の出力を切り替えて番組の中断期間を短縮することができる。これにより、異常が生じた場合に、番組の配信の長時間にわたる中断を回避可能な可用性の高いシステムを構築することができる。
【０１５７】
したがって、本発明の実施の形態に係る異常監視方法では、放送波を出力する構成において、異常が生じた場合に、異常の影響を効果的に抑えることができる。
【０１５８】
また、本発明の実施の形態に係る異常監視方法では、まず、予備系モジュール３２が、監視経路２３を介して各運用系モジュール３１の状態を監視する。次に、予備系モジュール３２が、１または複数の運用系モジュール３１の異常を検出する。次に、予備系モジュール３２が、運用系モジュール３１の異常を検出した場合、異常を検出した運用系モジュール３１である異常モジュールのスイッチ４４をオフする。
【０１５９】
このように、たとえば各局の放送波に対応する複数の伝送モジュール２１を１つのケーブルテレビ装置１０１が備える構成により、製造コストを抑えるとともに保守作業を容易に行うことができる。また、ケーブルテレビ装置１０１が自己の状態を監視する構成により、ＰＣ等の他の装置を用いることなく状態を監視することができるため、保守性を向上させることができる。また、運用系モジュール３１の放送波の出力をハードウェア的に停止させる構成により、運用系モジュール３１から異常な放送波が出力されることをより確実に防ぐことができる。
【０１６０】
したがって、本発明の実施の形態に係る異常監視方法では、放送波を出力する構成において、異常が生じた場合に、異常の影響を効果的に抑えることができる。
【０１６１】
また、本発明の実施の形態に係る異常監視方法では、まず、予備系モジュール３２が、監視経路２３を介して各運用系モジュール３１の状態を監視する。次に、予備系モジュール３２が、各運用系モジュール３１の異常を検出していない状態において、放送波を受信し、受信した放送波に含まれるＳＩ情報を取得して保持する。
【０１６２】
このように、たとえば各局の放送波に対応する複数の伝送モジュール２１を１つのケーブルテレビ装置１０１が備える構成により、製造コストを抑えるとともに保守作業を容易に行うことができる。また、ケーブルテレビ装置１０１が自己の状態を監視する構成により、ＰＣ等の他の装置を用いることなく状態を監視することができるため、保守性を向上させることができる。また、予備系モジュール３２において予めＳＩ情報を保持する構成により、たとえば運用系モジュール３１の故障等により番組の配信が途中で中断した場合、より短い時間で放送波の出力を開始し、番組の配信を再開することができる。
【０１６３】
したがって、本発明の実施の形態に係る異常監視方法では、放送波を出力する構成において、異常が生じた場合に、異常の影響を効果的に抑えることができる。
【０１６４】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１６５】
以上の説明は、以下に付記する特徴を含む。
［付記１］
ケーブルテレビの放送波を出力する複数の伝送モジュールと、
前記複数の伝送モジュールと他の装置との間で通信を行うための通信経路と、
前記複数の伝送モジュール間を接続する監視経路とを備え、
前記複数の伝送モジュールは、１または複数の運用系モジュールと、１つの予備系モジュールとを含み、
前記予備系モジュールは、前記監視経路を介して各前記運用系モジュールの状態を監視可能であり、
前記予備系モジュールは、前記運用系モジュールの異常を検出した場合、異常を検出した前記運用系モジュールである異常モジュールの代わりに前記放送波の出力を行う代替処理を行い、
前記予備系モジュールは、各前記運用系モジュールの設定情報を記憶し、異常を検出した前記運用系モジュールの前記設定情報を前記記憶部から読み出し、読み出した前記設定情報に基づいて前記放送波を出力する、ケーブルテレビ装置。
【符号の説明】
【０１６６】
１０  ケーブルテレビ網
２１  伝送モジュール
２２  通信経路
２３  監視経路
２４  合波部
３１  運用系モジュール
３２  予備系モジュール
４１  記憶部
４２  チューナ
４３  変調部
４４  スイッチ
４５  制御部
８１  外部アンテナ
１０１  ケーブルテレビ装置
１３１  ＳＴＢ
１３３  ＴＶモニタ
１５１  局舎
１５２  加入者宅
３０１  放送再送信システム
【図１】
2020014121.tif 000003
【図２】
2020014121.tif 000004
【図３】
2020014121.tif 000005
【図４】
2020014121.tif 000006
【図５】
2020014121.tif 000007
【図６】
2020014121.tif 000008
【図７】
2020014121.tif 000009